(57)【要約】【課題】チャネル状態情報に基づいて、生理状態情報を測定する方法、装置およびシステムを提供する。【解決手段】チャネル状態情報に基づいて、生理状態情報を測定する方法、装置およびシステムが提供される。本方法は、トランスミッタの少なくとも二個の送信アンテナにより、それぞれ、測定信号を受信する工程と、レシーバの少なくとも二個の受信アンテナにより、それぞれ、ターゲットオブジェクトから、測定信号を反射する反射信号を受信する工程と、レシーバにより、反射信号に従って、送信アンテナと受信アンテナ間のチャネル状態情報（CSI）を得る工程と、コンピューティングデバイスにより、レシーバにより送信されるCSIを受信するとともに、CSIにしたがって、ターゲットオブジェクトの生理状態情報を得る工程と、を有する。【選択図】図２
2020096339.tif 000002
【特許請求の範囲】
【請求項１】
チャネル状態情報に基づいて、生理状態情報を測定する方法は、
トランスミッタの少なくとも二個の送信アンテナにより、それぞれ、測定信号を送信する工程と、
レシーバの少なくとも二個の受信アンテナにより、ターゲットオブジェクトから、前記測定信号を反射する反射信号を受信する工程と、
前記レシーバにより、前記反射信号にしたがって、前記送信アンテナと前記受信アンテナ間のチャネル状態情報（CSI）を得る工程と、および
コンピューティングデバイスにより、前記レシーバにより送信される前記CSIを受信するとともに、前記CSIにしたがって、前記ターゲットオブジェクトの生理状態情報を得る工程と、
を有することを特徴とするチャネル状態情報に基づいて、生理状態情報を測定する方法。
【請求項２】
前記受信アンテナの第一受信アンテナは、第一反射信号、および、第二反射信号を受信し、且つ、前記受信アンテナの第二受信アンテナは、第三反射信号、および、第四反射信号を受信する工程と、
前記第一反射信号は、前記ターゲットオブジェクトにより、前記送信アンテナの第一送信アンテナから送信される第一測定信号を反射させることにより生成され、且つ、前記第二反射信号は、前記ターゲットオブジェクトにより、前記送信アンテナの第二送信アンテナから送信される第二測定信号を反射させることにより生成される工程と、および
前記第三反射信号は、前記ターゲットオブジェクトにより、前記第一送信アンテナから送信される前記第一測定信号を反射させることにより生成され、且つ、前記第四反射信号は、前記ターゲットオブジェクトにより、前記第二送信アンテナから送信される前記第二測定信号を反射させることにより生成される工程と、
を有することを特徴とする請求項１に記載のチャネル状態情報に基づいて、生理状態情報を測定する方法。
【請求項３】
前記CSIにしたがって、前記ターゲットオブジェクトの生理状態情報を得る前記工程は、さらに、
前記第一反射信号と前記第三反射信号間の第一位相差を計算する工程と、
前記第二反射信号と前記第四反射信号間の第二位相差を計算する工程と、および
前記第一位相差と前記第二位相差間のチャネル応答の差異にしたがって、前記ターゲットオブジェクトの前記生理状態情報を得る工程と、
を有することを特徴とする請求項２に記載のチャネル状態情報に基づいて、生理状態情報を測定する方法。
【請求項４】
前記チャネル応答の前記差異に従って、前記ターゲットオブジェクトの前記生理状態情報を得る前記工程は、さらに、
一期間に対応する前記チャネル応答の前記差異を得る工程と、
前記チャネル応答の前記差異を、複数のサブキャリアに対応するスペクトログラムに転換する工程と、および
前記スペクトログラム中の最高ピークに対応する一周波数にしたがって、前記生理状態情報を決定する工程と、
を有することを特徴とする請求項３に記載のチャネル状態情報に基づいて、生理状態情報を測定する方法。
【請求項５】
前記一期間に対応する前記チャネル応答の前記差異は、二個の周波数分析モードを用いることにより、前記サブキャリアに対応する第一スペクトログラム、および、第二スペクトログラムに転換されるとともに、
前記スペクトログラム中の前記最高ピークに対応する一周波数にしたがって、前記生理状態情報を決定する前記工程は、さらに、
各サブキャリアの前記第一スペクトログラム中の前記垂直軸の前記最高ピークに対応する第一周波数、および、各サブキャリアの前記第二スペクトログラム中の前記垂直軸の前記最高ピークに対応する第二周波数を得る工程と、
前記サブキャリアの第一サブキャリアの前記第一周波数と前記第二周波数間の周波数差異が、スレッショルドを超過するか判断する工程と、
前記周波数差が前記スレッショルドを超過すると判断するとき、前記第一サブキャリアを除去する、あるいは、前記周波数差が前記スレッショルドを超過しないと判断するとき、 前記第一サブキャリアを保留する工程と、および
前記保留されたサブキャリアに対応する前記スペクトログラム中の最高強度ピークに対応する前記周波数にしたがって、前記生理状態情報を決定する工程と、 
を有することを特徴とする請求項４に記載のチャネル状態情報に基づいて、生理状態情報を測定する方法。
【請求項６】
チャネル状態情報に基づいて、生理状態情報を測定するシステムであって、
少なくとも二個の送信アンテナを有し、前記少なくとも二個の送信アンテナが、それぞれ、測定信号を送信するトランスミッタと、
少なくとも二個の受信アンテナを有し、前記受信アンテナが、それぞれ、ターゲットオブジェクトから、前記測定信号を反射する反射信号を受信し、前記反射信号にしたがって、前記送信アンテナと前記受信アンテナ間のチャネル状態情報（CSI）を得るレシーバと、および
前記レシーバに結合され、前記CSIを受信するとともに、前記CSIにしたがって、前記ターゲットオブジェクトの生理状態情報を得るコンピューティングデバイスと、
を有することを特徴とするチャネル状態情報に基づいて、生理状態情報を測定するシステム。
【請求項７】
前記受信アンテナの第一受信アンテナは、第一反射信号、および、第二反射信号を受信し、且つ、前記受信アンテナの第二受信アンテナは、第三反射信号、および、第四反射信号を受信する工程と、
前記第一反射信号は、前記ターゲットオブジェクトにより、前記送信アンテナの第一送信アンテナから送信される第一測定信号を反射させることにより生成され、且つ、前記第二反射信号は、前記ターゲットオブジェクトにより、前記送信アンテナの第二送信アンテナから送信される第二測定信号を反射させることにより生成される工程と、および
前記第三反射信号は、前記ターゲットオブジェクトにより、前記第一送信アンテナから送信される前記第一測定信号を反射させることにより生成され、且つ、前記第四反射信号は、前記ターゲットオブジェクトにより、前記第二送信アンテナから送信される前記第二測定信号を反射させることにより生成される工程と、
を有することを特徴とする請求項６に記載のチャネル状態情報に基づいて、生理状態情報を測定するシステム。
【請求項８】
前記コンピューティングデバイスが、前記CSIにしたがって、前記ターゲットオブジェクトの生理状態情報を得る前記工程は、さらに、
前記第一反射信号と前記第三反射信号間の第一位相差を計算する工程と、
前記第二反射信号と前記第四反射信号間の第二位相差を計算する工程と、および
前記第一位相差と前記第二位相差間のチャネル応答の差異にしたがって、前記ターゲットオブジェクトの前記生理状態情報を得る工程と、
を有することを特徴とする請求項７に記載のチャネル状態情報に基づいて、生理状態情報を測定するシステム。
【請求項９】
前記コンピューティングデバイスが、前記チャネル応答の前記差異に従って、前記ターゲットオブジェクトの前記生理状態情報を得る前記工程は、さらに、
一期間に対応する前記チャネル応答の前記差異を得る工程と、
前記チャネル応答の前記差異を、複数のサブキャリアに対応するスペクトログラムに転換する工程と、および
前記スペクトログラム中の最高ピークに対応する一周波数にしたがって、前記生理状態情報を決定する工程と、
を有することを特徴とする請求項８に記載のチャネル状態情報に基づいて、生理状態情報を測定するシステム。
【請求項１０】
前記コンピューティングデバイスが、二個の周波数分析モードを用いることにより、前記一期間に対応する前記チャネル応答の前記差異を、前記サブキャリアに対応する第一スペクトログラム、および、第二スペクトログラムに転換し、
前記コンピューティングデバイスにより実行される前記スペクトログラム中の前記最高ピークに対応する一周波数にしたがって、前記生理状態情報を決定する前記工程は、さらに、
各サブキャリアの前記第一スペクトログラム中の前記垂直軸の前記最高ピークに対応する第一周波数、および、各サブキャリアの前記第二スペクトログラム中の前記垂直軸の前記最高ピークに対応する第二周波数を得る工程と、
前記サブキャリアの第一サブキャリアの前記第一周波数と前記第二周波数間の周波数差異が、スレッショルドを超過するか判断する工程と、
前記周波数差が前記スレッショルドを超過すると判断するとき、前記第一サブキャリアを除去する、あるいは、前記周波数差が前記スレッショルドを超過しないと判断するとき、 前記第一サブキャリアを保留する工程と、および
前記保留されたサブキャリアに対応する前記スペクトログラム中の最高強度ピークに対応する前記周波数にしたがって、前記生理状態情報を決定する工程と、 
を有することを特徴とする請求項９に記載のチャネル状態情報に基づいて、生理状態情報を測定するシステム。
【請求項１１】
チャネル状態情報に基づいて、生理状態情報を測定する装置であって、 
一つ以上のプロセッサと、および
一つ以上のコンピュータ可読命令を保存し、前記プロセッサが、前記コンピュータストレージ媒体を駆動し、以下のタスクを実行させる一つ以上のコンピュータストレージ媒体と、を有し、前記タスクは、
トランスミッタの少なくとも二個の送信アンテナとレシーバの少なくとも二個の受信アンテナ間のチャネル状態情報（CSI）を受信し、前記CSIは前記レシーバから送信され、且つ、反射信号にしたがって、前記レシーバにより得られ、前記反射信号は、ターゲットオブジェクトから、前記トランスミッタの前記送信アンテナにより送信される測定信号を反射されることにより生成され、前記反射信号が、前記レシーバの前記アンテナより受信される工程と、および
前記CSIにしたがって、前記ターゲットオブジェクトの生理状態情報を得る工程と、
を有することを特徴とするチャネル状態情報に基づいて、生理状態情報を測定する装置。
【請求項１２】
前記受信アンテナの第一受信アンテナは、第一反射信号、および、第二反射信号を受信し、且つ、前記受信アンテナの第二受信アンテナは、第三反射信号、および、第四反射信号を受信する工程と、
前記第一反射信号は、前記ターゲットオブジェクトにより、前記送信アンテナの第一送信アンテナから送信される第一測定信号を反射させることにより生成され、且つ、前記第二反射信号は、前記ターゲットオブジェクトにより、前記送信アンテナの第二送信アンテナから送信される第二測定信号を反射させることにより生成される工程と、および
前記第三反射信号は、前記ターゲットオブジェクトにより、前記第一送信アンテナから送信される前記第一測定信号を反射させることにより生成され、且つ、前記第四反射信号は、前記ターゲットオブジェクトにより、前記第二送信アンテナから送信される前記第二測定信号を反射させることにより生成される工程と、
を有することを特徴とする請求項１１に記載のチャネル状態情報に基づいて、生理状態情報を測定する装置。
【請求項１３】
前記プロセッサが、前記CSIにしたがって、前記ターゲットオブジェクトの生理状態情報を得る前記工程は、さらに、
前記第一反射信号と前記第三反射信号間の第一位相差を計算する工程と、
前記第二反射信号と前記第四反射信号間の第二位相差を計算する工程と、および
前記第一位相差と前記第二位相差間のチャネル応答の差異にしたがって、前記ターゲットオブジェクトの前記生理状態情報を得る工程と、
を有することを特徴とする請求項１２に記載のチャネル状態情報に基づいて、生理状態情報を測定する装置。
【請求項１４】
前記プロセッサが、前記チャネル応答の前記差異に従って、前記ターゲットオブジェクトの前記生理状態情報を得る前記工程は、さらに、
一期間に対応する前記チャネル応答の前記差異を得る工程と、
前記チャネル応答の前記差異を、複数のサブキャリアに対応するスペクトログラムに転換する工程と、および
前記スペクトログラム中の最高ピークに対応する一周波数にしたがって、前記生理状態情報を決定する工程と、
を有することを特徴とする請求項１３に記載のチャネル状態情報に基づいて、生理状態情報を測定する装置。
【請求項１５】
二個の周波数分析モードを用いることにより、前記プロセッサは、前記一期間に対応する前記チャネル応答の前記差異を、前記サブキャリアに対応する第一スペクトログラム、および、第二スペクトログラムに転換し、
前記プロセッサが、前記スペクトログラムの前記最高ピークに対応する一周波数にしたがって、前記生理状態情報を決定する前記工程は、さらに、
各サブキャリアの前記第一スペクトログラム中の前記垂直軸の前記最高ピークに対応する第一周波数、および、各サブキャリアの前記第二スペクトログラム中の前記垂直軸の前記最高ピークに対応する第二周波数を得る工程と、
前記サブキャリアの第一サブキャリアの前記第一周波数と前記第二周波数間の周波数差異が、スレッショルドを超過するか判断する工程と、
前記周波数差が前記スレッショルドを超過すると判断するとき、前記第一サブキャリアを除去する、あるいは、前記周波数差が前記スレッショルドを超過しないと判断するとき、前記第一サブキャリアを保留する工程と、および
前記保留されたサブキャリアに対応する前記スペクトログラム中の最高強度ピークに対応する前記周波数にしたがって、前記生理状態情報を決定する工程と、
を有することを特徴とする請求項１４に記載のチャネル状態情報に基づいて、生理状態情報を測定する装置。
【請求項１６】
チャネル状態情報に基づいて、生理状態情報を測定する方法であって、
トランスミッタの少なくとも二個の送信アンテナとレシーバの少なくとも二個の受信アンテナ間のチャネル状態情報（CSI）を受信して、前記CSIは前記レシーバにより送信され、且つ、反射信号に従って、前記レシーバにより得られ、前記反射信号は、ターゲットオブジェクトから、前記トランスミッタの前記送信アンテナにより送信される測定信号を反射させることにより生成され、前記反射信号が前記レシーバの前記アンテナにより受信される工程と、および
前記CSIにしたがって、前記ターゲットオブジェクトの生理状態情報を得る工程と、
を有することを特徴とするチャネル状態情報に基づいて、生理状態情報を測定する方法。
【請求項１７】
前記受信アンテナの第一受信アンテナは、第一反射信号、および、第二反射信号を受信し、且つ、前記受信アンテナの第二受信アンテナは、第三反射信号、および、第四反射信号を受信する工程と、
前記第一反射信号は、前記ターゲットオブジェクトにより、前記送信アンテナの第一送信アンテナから送信される第一測定信号を反射させることにより生成され、且つ、前記第二反射信号は、前記ターゲットオブジェクトにより、前記送信アンテナの第二送信アンテナから送信される第二測定信号を反射させることにより生成される工程と、および
前記第三反射信号は、前記ターゲットオブジェクトにより、前記第一送信アンテナから送信される前記第一測定信号を反射させることにより生成され、且つ、前記第四反射信号は、前記ターゲットオブジェクトにより、前記第二送信アンテナから送信される前記第二測定信号を反射させることにより生成される工程と、
を有することを特徴とする請求項１６に記載のチャネル状態情報に基づいて、生理状態情報を測定する方法。
【請求項１８】
前記CSIにしたがって、前記ターゲットオブジェクトの生理状態情報を得る前記工程は、さらに、
前記第一反射信号と前記第三反射信号間の第一位相差を計算する工程と、
前記第二反射信号と前記第四反射信号間の第二位相差を計算する工程と、および
前記第一位相差と前記第二位相差間のチャネル応答の差異にしたがって、前記ターゲットオブジェクトの前記生理状態情報を得る工程と、
を有することを特徴とする請求項１７に記載のチャネル状態情報に基づいて、生理状態情報を測定する方法。
【請求項１９】
前記チャネル応答の前記差異に従って、前記ターゲットオブジェクトの前記生理状態情報を得る前記工程は、さらに、
一期間に対応する前記チャネル応答の前記差異を得る工程と、
前記チャネル応答の前記差異を、複数のサブキャリアに対応するスペクトログラムに転換する工程と、および
前記スペクトログラム中の最高ピークに対応する一周波数にしたがって、前記生理状態情報を決定する工程と、
を有することを特徴とする請求項１８に記載のチャネル状態情報に基づいて、生理状態情報を測定する方法。
【請求項２０】
前記一期間に対応する前記チャネル応答の前記差異は、二個の周波数分析モードを用いて、前記サブキャリアに対応する第一スペクトログラム、および、第二スペクトログラムに転換するとともに、
前記スペクトログラムの前記最高ピークに対応する一周波数にしたがって、前記生理状態情報を決定する前記工程は、さらに、
各サブキャリアの前記第一スペクトログラム中の前記垂直軸の前記最高ピークに対応する第一周波数、および、各サブキャリアの前記第二スペクトログラム中の前記垂直軸の前記最高ピークに対応する第二周波数を得る工程と、
前記サブキャリアの第一サブキャリアの前記第一周波数と前記第二周波数間の周波数差異が、スレッショルドを超過するか判断する工程と、
前記周波数差が前記スレッショルドを超過すると判断するとき、前記第一サブキャリアを除去する、あるいは、前記周波数差が前記スレッショルドを超過しないと判断するとき、前記第一サブキャリアを保留する工程と、および
前記保留されたサブキャリアに対応する前記スペクトログラム中の前記最高強度ピークに対応する前記周波数にしたがって、前記生理状態情報を決定する工程と、
を有することを特徴とする請求項１９に記載のチャネル状態情報に基づいて、生理状態情報を測定する方法。
【発明の詳細な説明】
【技術分野】
【０００１】
本発明は、生理状態情報を測定する方法、装置およびシステムに関するものであって、特に、チャネル状態情報に基づいて生理状態情報を測定する方法、装置およびシステムに関するものである。
【背景技術】
【０００２】
呼吸率は、毎分、人が呼吸する回数である。呼吸率は、発熱や病気、その他の医学状況によって、増加したり減少したりするので、患者の呼吸率を頻繁に測定して、健康状態を分析する手段としている。呼吸率は、毎分呼吸する回数や、周波数（たとえば、１Hzの周波数は、毎分６０回の呼吸に対応する）として表される。患者の呼吸率は人工的に測定される（たとえば、臨床医が、一期間の患者の呼吸回数をカウントする）、あるいは、呼吸測定装置により測定する。
【０００３】
しかし、現在の呼吸測定機器は、大部分が接触式装置である。被験者（たとえば、高齢者）は、呼吸測定装置の装着が不便であるので、使用上面倒である。 よって、近年、非接触式の呼吸測定が主要な研究技術の一つとなっている。
【先行技術文献】
【特許文献】
【０００４】
【特許文献１】特開平４−５４３２号公報
【発明の概要】
【発明が解決しようとする課題】
【０００５】
よって、本発明は、チャネル状態情報に基づいて、生理状態情報を測定する方法、装置およびシステムを提供して、上述の欠点を改善することを目的とする。
【課題を解決するための手段】
【０００６】
一実施形態において、チャネル状態情報に基づいて、生理状態情報を測定する方法が開示される。本方法は、トランスミッタの少なくとも二個の送信アンテナにより、それぞれ、測定信号を送信する工程と、レシーバの少なくとも二個の受信アンテナにより、それぞれ、ターゲットオブジェクトから、測定信号を反射する反射信号を受信する工程と、レシーバにより、反射信号にしたがって、送信アンテナと受信アンテナ間のチャネル状態情報（CSI）を得る工程、および、コンピューティングデバイスにより、レシーバから送信されるCSIを受信するとともに、CSIにしたがって、ターゲットオブジェクトの生理状態情報を得る工程、を有する。
【０００７】
いくつかの実施形態において、受信アンテナの第一受信アンテナは、第一反射信号、および、第二反射信号を受信し、且つ、受信アンテナの第二受信アンテナは、第三反射信号、および、第四反射信号を受信する。第一反射信号が、ターゲットオブジェクトにより、送信アンテナの第一送信アンテナから送信される第一測定信号を反射させることにより生成され、且つ、第二反射信号が、ターゲットオブジェクトにより、送信アンテナの第二送信アンテナから送信される第二測定信号を反射させることにより生成される工程、および、第三反射信号が、ターゲットオブジェクトにより、第一送信アンテナから送信される第一測定信号を反射させることにより生成され、且つ、第四反射信号が、ターゲットオブジェクトにより、第二送信アンテナから送信される第二測定信号を反射させることにより生成される工程、を有する。
【０００８】
いくつかの実施形態において、CSIにしたがって、ターゲットオブジェクトの生理状態情報を得る工程は、さらに、第一反射信号と第三反射信号間の第一位相差を計算する工程と、第二反射信号と第四反射信号間の第二位相差を計算する工程、および、第一位相差と第二位相差間のチャネル応答の差異にしたがって、ターゲットオブジェクトの生理状態情報を得る工程、を有する。 
【０００９】
いくつかの実施形態において、チャネル応答の差異に従って、ターゲットオブジェクトの生理状態情報を得る工程は、さらに、一期間に対応するチャネル応答の差異を得る工程と、チャネル応答の差異を、複数のサブキャリアに対応するスペクトログラムに転換する工程、および、スペクトログラム中の最高ピークに対応する一周波数にしたがって、生理状態情報を決定する工程と、を有する。
【００１０】
いくつかの実施形態において、一期間に対応するチャネル応答の差異は、二個の周波数分析モードを用いることにより、サブキャリアに対応する第一スペクトログラム、および、第二スペクトログラムに転換され、スペクトログラム中の最高ピークに対応する一周波数に従って、生理状態情報を決定する工程は、さらに、各サブキャリアの第一スペクトログラム中の垂直軸の最高ピークに対応する第一周波数、および、各サブキャリアの第二スペクトログラム中の垂直軸の最高ピークに対応する第二周波数を得る工程と、サブキャリアの第一サブキャリアの第一周波数と第二周波数間の周波数差異が、スレッショルドを超過するか判断する工程と、周波数差がスレッショルドを超えると判断するとき、第一サブキャリアを除去する工程と、周波数差がスレッショルドを超えないと判断するとき、第一サブキャリアを保留する工程、および、保留されたサブキャリアに対応するスペクトログラム中の最高強度に対応する周波数にしたがって、生理状態情報を決定する工程、を有する。
【００１１】
一実施形態において、チャネル状態情報に基づいて、生理状態情報を測定するシステムが提供される。システムは、トランスミッタ、レシーバ、および、コンピューティングデバイスを有する。トランスミッタは少なくとも二個の送信アンテナを有し、少なくとも二個の送信アンテナは、それぞれ、測定信号を送信する。レシーバは少なくとも二個の受信アンテナを有し、受信アンテナは、それぞれ、ターゲットオブジェクトから、測定信号を反射する反射信号を受信し、レシーバは、反射信号にしたがって、送信アンテナと受信アンテナ間のチャネル状態情報（CSI）を得る。コンピューティングデバイスはレシーバに結合されるとともに、CSIを受信し、CSIにしたがって、ターゲットオブジェクトの生理状態情報を得る。
【００１２】
一実施形態において、チャネル状態情報に基づいて、生理状態情報を測定する装置が提供される。本装置は、一つ以上のプロセッサ、および、一つ以上のコンピュータストレージ媒体を有して、一つ以上のコンピュータ可読命令を保存する。プロセッサが設置されて、コンピュータストレージ媒体を駆動して、以下のタスクを実行する。トランスミッタの少なくとも二個の送信アンテナとレシーバの少なくとも二個の受信アンテナ間のチャネル状態情報（CSI）を受信し、CSIは、レシーバにより、反射信号に従って得られる。反射信号は、ターゲットオブジェクトから、トランスミッタの送信アンテナにより送信される測定信号を反射させることにより生成され、且つ、反射信号は、レシーバのアンテナにより受信される。CSIにしたがって、ターゲットオブジェクトの生理状態情報を得る。
【００１３】
一実施形態において、チャネル状態情報に基づいて、生理状態情報を測定する方法が提供される。本方法は、トランスミッタの少なくとも二個の送信アンテナとレシーバの少なくとも二個の受信アンテナ間のチャネル状態情報（CSI）を受信し、CSIがレシーバから、反射信号にしたがって、レシーバにより得られる工程と、反射信号が、ターゲットオブジェクトから、トランスミッタの送信アンテナにより送信される測定信号を反射させることにより生成され、且つ、反射信号が、レシーバのアンテナにより受信される工程、および、CSIにしたがって、ターゲットオブジェクトの生理状態情報を得る工程、を有する。
【発明の効果】
【００１４】
本発明によるチャネル状態情報に基づいて、生理状態情報を測定する方法、装置、および、システムは、非接触装置の複数のアンテナにより送信される信号間の位相差を用いることにより、CFO、CO、および、測定されたノイズを消去して、CSIに基づいて、呼吸、あるいは、心拍測定技術の正確さを改善する。
【図面の簡単な説明】
【００１５】
【図１】本発明の一実施形態によるチャネル状態情報に基づいて、生理状態情報を測定するシステムを示す図である。
【図２】本発明の一実施形態によるチャネル状態情報に基づいて、生理状態情報を測定する方法のフローチャートである。
【図３】本発明の一実施形態によるチャネル状態情報に基づいて、生理状態情報を測定する方法のフローチャートである。
【図４】本発明の一実施形態によるチャネル状態情報に基づいて、生理状態情報を測定するシステムを示す図である。
【図５】本発明の一実施形態による一期間で、チャネル応答の差異に従って、ターゲットオブジェクトの生理状態情報を得る方法のフローチャートである。
【図６】本発明の一実施形態による一期間で、チャネル応答の差異に従って、ターゲットオブジェクトの生理状態情報を得る方法のフローチャートである。
【図７】本発明の一実施形態による複数の被験者の生理状態情報を示す図である。
【図８】本発明の実施形態を実行する操作環境の例を示す図である。
【発明を実施するための形態】
【００１６】
添付図面を参照にしながら、本発明の各種態様を以下で十分に説明する。しかし、本開示は、多くの異なる形式で具体化され、且つ、本開示により表現される任意の特定の構造や機能に限定されると解釈されるべきではない。反対に、これらの態様が提供されて、本開示を詳細、且つ、完全にするとともに、当業者、本発明の範囲を十分に伝達する。当業者の教示に基づいて、当業者なら理解すべきことは、単独でも、本発明の任意のその他の態様と結合しても、本発明は、開示される本発明の任意の態様を実現する。たとえば、ここで示される任意の数量の装置を使用する、あるいは、方法を実行して実現する。このほか、ここで示される本発明の各種態様に加え、本発明の範囲は、その他の構造、機能、あるいは、構造と機能を用いて実施されるこのような装置、あるいは、方法をカバーする。理解できることは、ここで開示される本発明の任意の態様は、請求範囲の一つ以上の素子により具体化される。
【００１７】
用語“例示的”は、本文中で、“例、実例、あるいは、説明として用いられる”ことを意味する。ここで開示される任意の態様や本文の描写の“例示的”な設計は、本開示、あるいは、設計より好ましい、あるいは、優れていると解釈されるべきではない。さらに、相同の数字は、いくつかの図面中で相同の素子を示し、且つ、描写中で特に指定されない限り、冠詞“一”と“前記”は複数の参照を含む。
【００１８】
理解すべきことは、一素子が、もう一つの素子に“接続”あるいは“結合される”と称しているとき、その素子は、もう一つの素子に、直接接続、あるいは、結合されているか、中間素子が存在するか、である。反対に、一素子がもう一つの素子に、“直接接続”あるいは“直接結合”されると称しているとき、中間素子がないことである。素子間の関係の記述に用いられるその他の用語は類似の方式で解釈される（たとえば、“の間”と“直接、〜の間に”、“隣接”と“直接隣接する”等の方式）。
【００１９】
図１は、本発明の一実施形態によるチャネル状態情報に基づいて、生理状態情報を測定するシステム１００を示す図である。システム１００は、トランスミッタ１１０、レシーバ１２０、および、コンピューティングデバイス１３０を有する。トランスミッタ１１０、および、レシーバ１２０は、ターゲットオブジェクト１４０に隣接し、トランスミッタ１１０とターゲットオブジェクト１４０間、および、レシーバ１２０とターゲットオブジェクト１４０間の距離は、たとえば、せいぜい５メートルである。
【００２０】
トランスミッタ１１０は、複数の送信アンテナを有し、送信アンテナは、それぞれ、測定信号をターゲットオブジェクト１４０に送信することができる。レシーバ１２０は、複数の受信アンテナを有し、受信アンテナは、それぞれ、ターゲットオブジェクト１４０から、反射する反射信号を受信する。トランスミッタ１１０、および／または、レシーバ１２０は、固定、あるいは、移動型であり、且つ、コンピューティングデバイス１３０と通信し、且つ、データ、および／または、各種制御情報を、コンピューティングデバイス１３０とやり取りする各種コンポーネントを有する。トランスミッタ１１０、および、レシーバ１２０は、端末装置、移動局（MS）、携帯端末（MT）、ユーザー端（UT）, サブキャリア局（SS）、無線装置、アクセスポイント（AP）、あるいは、処理サーバ（PS）である。一実施形態において、トランスミッタ１１０、および、レシーバ１２０は、無線通信技術を用いて、信号を送信、および／または、受信し、無線通信技術は、たとえば、無線LAN（WLAN）、Bluetooth（登録商標）、ZigBee、WiMAX（Worldwide Interoperability for Microwave Access）、第３世代移動通信システム（Third Generation Of Wireless Mobile Telecommunications、3G）、第４世代移動通信システム（Fourth Generation Of Cellular Network 、4G）、ロングタームエボリューション（Long Term Evolution、LTE）、あるいは、LTE-Advancedである。一実施形態において、測定信号、および／または、受信信号は、複数のサブキャリア上の信号を有する。
【００２１】
コンピューティングデバイス１３０は、レシーバ１２０に結合されるとともに、有線ネットワーク、あるいは、無線通信により、レシーバ１２０とデータを送受信し、且つ、プロセッサ、および、プログラムを保存するメモリを有する。コンピューティングデバイス１３０は、レシーバ１２０により送信される反射信号を受信し、反射信号にしたがって、トランスミッタ１１０の送信アンテナとレシーバ１２０の受信アンテナ間のチャネル状態情報（CSI）を得るとともに、CSIにしたがって、ターゲットオブジェクト１４０の生理状態情報を得る。
【００２２】
コンピューティングデバイス１３０のタイプは、小型ハンドヘルド装置、たとえば、携帯電話やハンドヘルドコンピュータから、大型メインフレームシステム、たとえば、大型汎用コンピュータまでの範囲である。ハンドヘルドコンピュータの例は、ＰＤＡ、および、ノードブック等である。別の実施形態において、コンピューティングデバイス１３０は、ここで記述される以外のコンポーネント、システム、サブシステム、および／または、装置と一緒に使用される。たとえば、コンピューティングデバイス１３０は、レシーバ１２０と統合されて一装置になる。 
【００２３】
理解すべきことは、図１に示されるコンピューティングデバイス１３０は、チャネル状態情報に基づいて、生理状態情報を測定する適当なシステム１００機構の例であることである。図１に示される各コンポーネントは、任意のタイプのコンピューティングデバイス、たとえば、図８に示されるコンピューティングデバイス８００により実現される。
【００２４】
図２は、本発明の一実施形態によるチャネル状態情報に基づいて、生理状態情報を測定する方法２００のフローチャートである。本方法は、図１に示されるチャネル状態情報に基づいて、生理状態情報を測定するシステム１００中で実行される。
【００２５】
工程２０５において、トランスミッタＴＸの少なくとも二個の送信アンテナは、それぞれ、測定信号を送信する。特に、トランスミッタＴｘの少なくとも二個の送信アンテナは、直接、測定信号をターゲットオブジェクトに送信する、あるいは、ターゲットオブジェクトではない方向に測定信号を発射する。ターゲットオブジェクトの方向で発射されない測定信号は、別のオブジェクトにより、ターゲットオブジェクトに反射される。たとえば、トランスミッタＴｘは測定信号を壁に発射し、壁は測定信号をターゲットオブジェクトに反射させる。次に、工程２１０において、レシーバＲｘの少なくとも二個の受信アンテナは、それぞれ、ターゲットオブジェクトから、測定信号を反射させる反射信号を受信する。特に、レシーバＲｘにより受信される反射信号は、ターゲットオブジェクトにより直接反射される信号であるか、あるいは、ターゲットオブジェクトにより反射され、その後、別のオブジェクト（たとえば、壁や机）により反射される反射信号である。
【００２６】
工程２１５において、レシーバＲｘは、反射信号にしたがって、送信アンテナと受信アンテナ間のチャネル状態情報（CSI）を得る。工程２２０において、コンピューティングデバイス１３０は、レシーバＲｘにより送信されるCSIを受信するとともに、CSIにしたがって、ターゲットオブジェクトの生理状態情報を得る。
【００２７】
図３は、本発明の一実施形態によるチャネル状態情報に基づいて、生理状態情報を測定する方法３００のフローチャートである。本方法は、図１に示されるコンピューティングデバイス１３０のプロセッサにより実行される。
【００２８】
工程３０５において、コンピューティングデバイス１３０は、トランスミッタ１１０の少なくとも二個の送信アンテナとレシーバ１２０の少なくとも二個の受信アンテナ間のチャネル状態情報（CSI）を受信する。CSIは、レシーバ１２０から、反射信号にしたがって得られる。反射信号は、ターゲットオブジェクトから、トランスミッタ１１０の送信アンテナにより送信される測定信号を反射させることにより生成され、且つ、反射信号は、レシーバ１２０のアンテナにより受信される。工程３１０において、コンピューティングデバイス１３０は、CSIにしたがって、ターゲットオブジェクトの生理状態情報を得る。
【００２９】
以下で、工程２２０、および、工程３１０において、コンピューティングデバイス１３０が、どのように、CSIに基づいて、ターゲットオブジェクトの生理状態情報を得るかを詳細に説明する。
【００３０】
図４は、本発明の一実施形態によるチャネル状態情報に基づいて、生理状態情報を測定するシステム４００を示す図である。図４は、トランスミッタＴｘ の送信アンテナとレシーバＲｘの受信アンテナ間の送信をさらにはっきりと記述する。注意すべきことは、図４において、この例において用いられるトランスミッタＴｘとレシーバＲｘのアンテナの数量は二個であるが、これに限定されないことである。つまり、レシーバＲｘが、任意の二個（あるいは、少なくとも二個の）受信アンテナを選択して、反射信号を受信し、且つ、この反射信号が、トランスミッタＴｘの任意の二個（あるいは、少なくとも二個の）送信アンテナにより送信される測定信号を反射させるターゲットオブジェクトにより生成されれば、本開示中で記述される方法が達成される。
【００３１】
図４に示されるように、トランスミッタＴｘの第一送信アンテナ４１２は、第一測定信号をターゲットオブジェクト４４０に送信し、トランスミッタＴｘ の第二送信アンテナ４１４は、第二測定信号をターゲットオブジェクト４４０に送信し、第一送信アンテナ４１２と第二送信アンテナ４１４間の距離は L2、且つ、測定信号と水平面間の角度はφである。ターゲットオブジェクト４４０の胸の起伏の大きさはδである。
【００３２】
レシーバＲｘの第一受信アンテナ４２２は、第一反射信号、および、第二反射信号を受信し、且つ、レシーバＲｘの第二受信アンテナ４２４は、第三反射信号、および、第四反射信号を受信し、第一受信アンテナ４２２と第二受信アンテナ４２４間の距離は L1 、且つ、反射信号と水平面間の角度はθである。第一反射信号は、ターゲットオブジェクト４４０により、第一送信アンテナ４１２から送信される第一測定信号を反射させることにより生成され、第二反射信号は、ターゲットオブジェクト４４０により、第二送信アンテナ４１４から送信される第二測定信号を反射させることにより生成される。第三反射信号は、ターゲットオブジェクト４４０により、第一送信アンテナ４１２から送信される第一測定信号を反射させることにより生成され、第四反射信号は、ターゲットオブジェクト４４０により、第二送信アンテナ４１４から送信される第二測定信号を反射させることにより生成される。
【００３３】
よって、レシーバＲｘは、時間ｔで受信される反射信号にしたがって、トランスミッタ（第一送信アンテナ４１２、および、第二送信アンテナ４１４）とレシーバ（第一受信アンテナ４２２、および、第二受信アンテナ４２４）間の時間ｔのCSIを得る。時間ｔのCSIは以下のように示される:
H1,1=CFO/COTx+L2sinφ+Vt（H1,1）+L1sinθ+CFO/CORx                （１）
H1,2=CFO/COTx+L2sinφ+Vt（H1,2）       +CFO/CORx                （２）
H2,1=CFO/COTx       +Vt（H2,1）+L1sinθ+CFO/CORx                （３）
H2,2=CFO/COTx       +Vt（H2,2）       +CFO/CORx                （４）
式中、Hm,nは、トランスミッタＴｘの第m本の送信アンテナとレシーバＲｘの第 n本の受信アンテナ間のCSI（チャネル応答とも称される）を表し、CFO/COTxは、トランスミッタのキャリア周波数オフセット（CFO）とクロックオフセット（CO）により生じる位相シフトであり、CFO/CORxレシーバのCFOとCOにより生じる位相シフトである。L2sinφ、および、L1sinθは測定されたノイズで、Vt（Hm,n）は、時間ｔのチャネル応答位相である。
【００３４】
その後、コンピューティングデバイス１３０は、CSI H1,1とCSI H1,2間の第一位相差ΔVt（H1）+L1sinθ（つまり、等式（１）と等式（２））の差異を計算するとともに、CSI H2,1とCSI H2,2間の第二位相差ΔVt（H2）+L1sinθ（つまり、等式（３）と等式（４）間の差異）を計算し、式中、ΔVt（H1）は、Vt（H1,1）とVt（H1,2）間の差異（つまり、ΔVt（H1）=Vt（H1,1）-Vt（H1,2））、ΔVt（H2）はVt（H2,1）とVt（H2,2）間の差異（つまり、ΔVt（H2）=Vt（H2,1）-Vt（H2,2））である。コンピューティングデバイス１３０は、時間ｔの第一位相差と第二位相差間のチャネル応答の差ΔVt（H）を計算する。つまり、チャネル応答の差ΔVt（H）は、ΔVt（H1）とΔVt（H2）の差である。コンピューティングデバイス１３０は、その後、一期間のチャネル応答の差ΔVt（H）を収集して、生理状態情報を得る。
【００３５】
以下で、コンピューティングデバイス１３０が、どのように、一期間のチャネル応答の差異 ΔVt（H）を用いて、ターゲットオブジェクトの生理状態情報を得るかを詳細に記述する。この部分は、異なる生理状態と生理状態情報に関して記述される。
【００３６】
図５は、本発明の一実施形態による一期間で、チャネル応答の差異に従って 、ターゲットオブジェクトの生理状態情報を得る方法５００のフローチャートである。この実施形態において、生理状態は呼吸で、生理状態情報は呼吸周波数である。期間は、たとえば、生理状態情報（この実施形態において、生理状態情報は呼吸率）が測定される時間の長さである。たとえば、期間が１分である場合、毎分一回、その分内の呼吸率が推定される。トランスミッタは、その期間で、複数の測定信号を送信し、レシーバは、複数の測定信号により反射される複数の反射信号を受信する。たとえば、トランスミッタは、１０ミリ秒ごとに測定信号を送信し、レシーバは、１０ミリ秒ごとに反射信号を受信する。
【００３７】
一実施形態において、工程が開始する前に、コンピューティングデバイス１３０は、すでに、一期間に対応するチャネル応答の差異を得ている。工程５０５において、コンピューティングデバイス１３０は、チャネル応答の差異を、複数のサブキャリアに対応するスペクトログラムに転換し、フーリエ変換、あるいは、その他の周波数分析方式（たとえば、ＭＵＳＩＣ（MUltiple SIgnal Classification）、ＨＨＴ（Hilbert-Huang Transform）、および、ＤＷＴ（Discrete Wavelet Transform））により、チャネル応答の差異が、スペクトログラムに転換される。工程５１０において、コンピューティングデバイス１３０は、スペクトログラム中の最高ピークに対応する一周波数に従って、生理状態情報を決定する。特に、コンピューティングデバイス１３０は、各サブキャリアのスペクトログラムを被覆するとともに、重複するスペクトログラム中の最高ピークに対応する一周波数を、呼吸周波数とみなす。
【００３８】
図６は、本発明の一実施形態による一期間で、チャネル応答の差異に従って、ターゲットオブジェクトの生理状態情報を得る方法６００のフローチャートである。この実施形態において、生理状態は呼吸か心拍であり、生理状態情報は、呼吸周波数、または、心拍頻度である。
【００３９】
一実施形態において、工程の開始前、コンピューティングデバイス１３０は、すでに、一期間に対応するチャネル応答の差異を得ている。工程６０５において、コンピューティングデバイス１３０は、二個の周波数分析モードを用いることにより、一期間に対応するチャネル応答の差異を、複数のサブキャリアに対応する第一スペクトログラム、および、第二スペクトログラムに転換する。二個の周波数分析モードは、任意の二個のフーリエ変換、ＭＵＳＩＣ、ＨＨＴ、ＤＷＴ、および、その他の周波数分析方式である。一実施形態において、第一スペクトログラムと第二スペクトログラムの垂直軸は強度、水平軸は周波数である。工程６１０において、コンピューティングデバイス１３０は、複数のサブキャリアから、第一サブキャリアを選択するとともに、第一サブキャリアの第一スペクトログラム中の垂直軸（強度）の最高ピークに対応する第一周波数を得るとともに、第一サブキャリアの第二スペクトログラム中の垂直軸（強度）の最高ピークに対応する第二周波数を得る。工程６１５において、コンピューティングデバイス１３０は、第一周波数と第二周波数間の周波数差がスレッショルドを超過するか判断する。コンピューティングデバイス１３０が、周波数差がスレッショルド値を超過すると判断するとき（工程６１５で“はい”）、工程６２０において、コンピューティングデバイス１３０はサブキャリアを除去する。コンピューティングデバイス１３０が、周波数差がスレッショルドを超過しないと判断するとき（工程６１５において“いいえ”）、工程６２５において、コンピューティングデバイス１３０は、サブキャリアを保留する。次に、工程６３０において、コンピューティングデバイス１３０は、未決定のサブキャリアがあるか判断する。未決定のサブキャリアがまだあると判断するとき（工程６３０において“はい”）、工程６３５において、コンピューティングデバイス１３０は、未決定のサブキャリアから、一サブキャリア（たとえば、第二サブキャリア）を選択するとともに、工程は、工程６１５に戻り（たとえば、コンピューティングデバイス１３０は、第二サブキャリアの第一周波数と第二周波数間の周波数差がスレッショルドを超過するか判断する）。コンピューティングデバイス１３０が、未決定のサブキャリアがないと判断するとき（工程６３０において“いいえ”）、工程６４０で、コンピューティングデバイス１３０は、保留されたサブキャリアに対応するスペクトログラム中の最高強度ピークに対応する周波数に従って、生理状態情報を決定する。一実施形態において、コンピューティングデバイス１３０は、各保留されたサブキャリアの第一周波数と第二周波数を乗じて、各保留されたサブキャリアの第一周波数と第二周波数を乗じた後のスペクトログラムを被覆するとともに、重複するスペクトログラム中の最高強度ピークに対応する一周波数を、呼吸率、あるいは、心拍率とみなす。別の実施形態において、コンピューティングデバイス１３０は、さらに、各保留されたサブキャリアの第一周波数と第二周波数を乗じた後のスペクトログラムから、一スペクトログラムを選択する。このスペクトログラム中の最高強度ピークに対応する一周波数は、呼吸率、あるいは、心拍率と見なされる。一実施形態において、保留されたサブキャリアの数量は一つ以上である。
【００４０】
別の実施形態において、システムは、複数の被験者を測定する。コンピューティングデバイス１３０は、重複するスペクトログラム中の第一最高強度ピークに対応する第一周波数を、 第一被験者の生理状態情報として選択し、その後、第二最高強度ピークに対応する第二周波数を、第二被験者の生理状態情報として選択する。図７に示されるように、第一最高強度ピークに対応する第一周波数は１０bpm、第二最高強度ピークに対応する第二周波数は１５bpmである。よって、コンピューティングデバイス１３０は、第一被験者、および、第二被験者の呼吸周波数は、それぞれ、１０と１５bpmであると判断する。
【００４１】
上述のように、チャネル状態情報に基づいて、本発明で提供される生理状態情報を測定する方法、装置、および、システムは、非接触装置の複数のアンテナにより送信される信号間の位相差を用いることにより、CFO、CO、および、測定される騒音を消去して、CSIに基づいて、呼吸、あるいは、心拍測定技術の正確さを改善する。
【００４２】
本発明の上述の実施形態に対し、以下で、本発明の実施形態を実施する例示的な操作環境を記述する。図８を参照すると、本発明の実施形態を実行する例示的な操作環境が示され、一般に、コンピューティングデバイス８００として知られる。コンピューティングデバイス８００は、単に、適当なコンピューティング環境の一例であり、本発明の使用、あるいは、機能の範囲を制限するものではない。コンピューティングデバイス８００は、また、示されるコンポーネントの一つ、あるいは、組み合わせに関連する依存性や要求を有すると解釈されるべきではない。
【００４３】
本開示は、コンピュータコード、あるいは、機械使用可能命令の手段によって実現され、機械使用可能命令はコンピュータ実行可能命令、たとえば、プログラムモジュールを有し、コンピュータ、あるいは、その他の機器、たとえば、ＰＤＡ、あるいは、その他のハンドヘルド装置により実行される。一般に、プログラムモジュールは、ルーティン、プログラム、オブジェクト、コンポーネント、データ構造等を有し、プログラムモジュールというのは、特定のタスクを実行する、あるいは、特定の抽象データタイプを実行するコードのことである。本発明は、各種システム配置で実施され、ハンドヘルド装置、家庭用電化製品、汎用コンピュータ、さらに専門的なコンピューティングデバイス等を有する。本発明は、タスクが、通信ネットワークにより連結される円滑処理装置により実行される分散型のコンピューティング環境で実施することもできる。
【００４４】
図８を参照すると、コンピューティングデバイス８００は、以下の装置に直接、あるいは、間接的に結合されるバス８１０を有し、前記装置は、一つ以上のメモリ８１２、一つ以上のプロセッサ８１４、一つ以上のディスプレイコンポーネント８１６、一つ以上の入／出力（Ｉ／Ｏ）ポート８１８、一つ以上の入／出力コンポーネント８２０、および、説明的な電源８２２を有する。バス８１０は、一つ以上の種類のバスを表す（たとえば、アドレスバス、データバス、あるいは、それらの組み合わせ）。簡潔にするために、図８の各種ブロックは線で示されているが、実際は、各種コンポーネントの境界は具体的ではない。たとえば、ディスプレイコンポーネント、たとえば、ディスプレイ装置はＩ／Ｏコンポーネントとみなされ、プロセッサはメモリを有する。
【００４５】
コンピューティングデバイス８００は、通常、様々なコンピュータ可読媒体を有する。コンピュータ可読媒体は、コンピューティングデバイス８００によりアクセス可能であり、且つ、揮発性、および、不揮発性、取り外し可能、および、非取り外し可能媒体両方を含む任意の可用な媒体である。例として、これに限定されないが、コンピュータ可読媒体は、コンピュータストレージ媒体、および、通信媒体を有する。コンピュータストレージ媒体は、情報、たとえば、コンピュータ可読命令、データ構造、プログラムモジュール、あるいは、その他のデータを保存する任意の方法や技術で実施される揮発性、および、不揮発性、取り外し可能、および、非取り外し可能媒体を有する。コンピュータストレージ媒体は、これに限定されないが、ランダムアクセスメモリ（ＲＡＭ）、リードオンリメモリ（ＲＯＭ）、電気的消去可能ＲＯＭ（ＥＥＰＲＯＭ）、フラッシュメモリ、あるいは、その他のメモリ技術、ＣＤ−ＲＯＭ、デジタル多用途ディスク（ＤＶＤ）、あるいは、その他の光学ディスクストレージ、磁気カセット、磁気テープ、磁気ディスクストレージ、あるいは、その他の磁気ストレージ装置、あるいは、必要な情報を保存するのに用いられる、および、コンピューティングデバイス８００によりアクセスされるその他の任意の媒体を有する。コンピュータストレージ媒体自身は、信号を含まない。
【００４６】
通信媒体は、通常、コンピュータ可読命令、データ構造、プログラムモジュール、あるいは、モジュール化されたデータ信号、たとえば、キャリア波、あるいは、その他の輸送メカニズム中のその他のデータを含み、且つ、任意の情報伝達媒体を有する。用語“モジュール化されたデータ信号”は、一つ以上の特徴の集合を有する、あるいは、信号中で情報を符号化するこのような方式で変化する信号のことを意味する。例として、これに限定されないが、通信媒体は、有線媒体たとえば、有線ネットワーク、あるいは、直接有線接続、および、無線媒体、たとえば、音響、ＲＦ、赤外線、および、その他の無線媒体、あるいは、任意のそれらの組み合わせを有する。
【００４７】
メモリ８１２は、揮発性、および／または、不揮発性メモリの形式で、コンピュータストレージ媒体を有する。メモリは、取り外し可能、非取り外し可能、あるいは、それらの組み合わせである。例示的ハードウェア装置は、ソリッドステートメモリ、ハードドライブ、光学ディスクドライブ等を有する。コンピューティングデバイス８００は、各種エンティティ、たとえば、メモリ８１２、あるいは、Ｉ／Ｏコンポーネント８２０からデータを読み取る一つ以上のプロセッサを有する。ディスプレイコンポーネント８１６は、ユーザー、あるいは、その他の装置にデータ指示を表示する。例示的な表示コンポーネントは、ディスプレイ装置、スピーカー、プリンティングコンポーネント、振動素子を有する。
【００４８】
Ｉ／Ｏポート８１８は、コンピューティングデバイス８００を、論理的に、Ｉ／Ｏコンポーネント８２０を有するその他の装置に結合させ、この種の装置は内蔵装置である。実例となるコンポーネントは、マイクロフォン、ジョイスティック、ゲームパッド、サテライトディッシュ、スキャナー、プリンター、ワイヤレス装置等を有する。Ｉ／Ｏコンポーネント８２０は、ユーザーにより生成されるジェスチャー、音声、あるいは、その他の生理学的な入力を処理するナチュラルユーザーインターフェース（ＮＵＩ）を提供する。たとえば、入力が、適当なネットワーク素子に送信されて、さらに処理される。ＮＵＩが実行されて、語言識別、接触とスタイラス識別、顔認証、生体識別、スクリーン上、および、スクリーンに隣接するジェスチャー識別、空中ジェスチャー、頭部と眼部追跡、コンピューティングデバイス８００上のディスプレイと関連する接触識別、あるいは、任意の組み合わせを実現する。コンピューティングデバイス８００は、深度カメラ、たとえば、立体カメラシステム、赤外線カメラシステム、ＲＧＢカメラシステム、それらの任意の組み合わせを装備して、ジェスチャー検出と識別を実現する。さらに、コンピューティングデバイス８００は、加速度計、あるいは、ジャイロスコープが装備され、動きの検出を可能にする。加速度計、あるいは、ジャイロスコープの出力がコンピューティングデバイス８００のディスプレイに提供されて、没入式の各超現実やバーチャルリアリティを実行する。
【００４９】
さらに、コンピューティングデバイス８００中のプロセッサ８１４は、メモリ８１２中で、プログラムコードを実行して、上述の動作、工程、あるいは、その他の記述を実行することができる。
【００５０】
理解すべきことは、開示される任意のプロセスの工程の順序やヒエラルキーはサンプル的なアプローチの例であることである。設計優先に基づいて、理解すべきことは、プロセス中の工程の特定の順序やヒエラルキーは、本発明の範囲内で再アレンジできる。付随する方法の請求は、サンプル順序で、各種工程の素子を表現し、表現される特定の順序やヒエラルキーに制限されない。
【００５１】
請求項中で、請求項を修飾する素子の序数用語、たとえば、“第一”“第二”“第三”等の使用は、優先権、優先順序、各素子間の前後順序、あるいは、方法が実行する工程の順序を暗示するものではなく、単に、標識として、同じ名称を有する（異なる序数用語を有する）異なる素子を区分するものである。
【００５２】
本発明では好ましい実施例を前述の通り開示したが、これらは決して本発明に限定するものではなく、当該技術を熟知する者なら誰でも、本発明の思想を脱しない範囲内で各種の変形を加えることができる。
【符号の説明】
【００５３】
１００  システム
１１０  トランスミッタ
１２０  レシーバ
１３０  コンピューティングデバイス
１４０  ターゲットオブジェクト
２００  方法
Ｓ２０５、Ｓ２１０、Ｓ２１５、Ｓ２２０  工程
３００  方法
Ｓ３０５、Ｓ３１０  工程
４００  システム
Ｔｘ  トランスミッタ
Ｒｘ  レシーバ
４１２  第一送信アンテナ
４１４  第二送信アンテナ
４２２  第一受信アンテナ
４２４  第二受信アンテナ
４４０  ターゲットオブジェクト
L1、L2  距離
φ、θ  角度
５００  方法
Ｓ５０５、Ｓ５１０  工程
６００  方法
Ｓ６０５、Ｓ６１０、Ｓ６１５、Ｓ６２０、Ｓ６２５、Ｓ６３０、Ｓ６３５、Ｓ６４０  工程
８００  コンピューティングデバイス
８１０  バス
８１２  メモリ
８１４  プロセッサ
８１６  ディスプレイコンポーネント
８１８  Ｉ／Ｏポート
８２０  Ｉ／Ｏコンポーネント
８２２  電源
【図１】
2020096339.tif 000003
【図２】
2020096339.tif 000004
【図３】
2020096339.tif 000005
【図４】
2020096339.tif 000006
【図５】
2020096339.tif 000007
【図６】
2020096339.tif 000008
【図７】
2020096339.tif 000009
【図８】
2020096339.tif 000010